(57)【特許請求の範囲】
【請求項１】
ノズル本体の上流端部域に形成された流体導入口と、この流体導入口からノズル先端の噴射口に至る流路と、前記流体導入口の下流側の流路内に装着され、前記流体導入口を開閉するためのピストンバルブと、このピストンバルブの下流域に配設された整流部材とを備えたデスケーリングノズルであって、前記噴射口と、この噴射口から上流方向に拡がって延びるテーパ部で形成されたテーパ状流路と、このテーパ状流路から上流方向に延びる径大流路と、この径大流路から上流方向に延び、かつ前記整流部材が配置される流路と、前記整流部材から離れた上流部に位置し、かつ前記ピストンバルブが配置される流路とを備えており；前記整流部材が配置された流路の断面積が、前記ピストンバルブ内の流路の断面積よりも大きく；前記径大流路の内径Ｄ１に対する整流部材が配置される流路の内径Ｄ３の割合（Ｄ３／Ｄ１）が１．２〜１．８であり；整流部材の羽根の枚数が１０〜１８枚であり、かつ整流部材の羽根の厚みが０．３〜０．８ｍｍであるデスケーリングノズル。
【請求項２】
整流部材が装着された流路の断面積（Ａ２）と、ピストンバルブ内の流路の断面積（Ａ１）との比（Ａ２／Ａ１）が１を越え、１．７以下である請求項１記載のデスケーリングノズル。
【請求項３】
ノズル先端部の凹面または凹部で開口した吐出口と、この吐出口からテーパ角３０〜８０°で延びるテーパ部と、このテーパ部に連なる径大流路とで構成されたノズル孔を備えており、前記吐出口の短径Ｄ２に対する径大流路の内径Ｄ１の割合（Ｄ１／Ｄ２）が３以上であり、前記径大部から上流方向に延びる流路内に配設された整流部材と、この整流部材から離れた上流部に配設されたピストンバルブとを備えている請求項１又は２記載のデスケーリングノズル。
【請求項４】
ノズル本体の流路が、上流方向に向かって流路幅が漸増する傾斜流路部と、この傾斜流路部から上流方向に延び、かつ断面積が大きな拡大した中空筒状流路部と、この中空筒状流路部の上流方向に向かって流路幅が漸減する傾斜流路部とを備えており、前記中空筒状流路部内に整流部材が配設されている請求項１〜３のいずれかに記載のデスケーリングノズル。
【請求項５】
整流部材が、芯体から放射状に延びる複数の羽根と、芯体の上流側及び下流側に同軸に形成され、かつそれぞれ上流方向及び下流方向に延出する整流案内部とを備えている請求項１〜４のいずれかに記載のデスケーリングノズル。
【請求項６】
ピストンバルブが、ノズル本体の流路内に形成された弁座と、中空筒状のピストン本体と、このピストン本体の上流部に形成され、前記弁座に着座可能な弁体と、この弁体を弁座に対して上流方向に付勢するコイル状スプリングと、前記弁体の下流部に形成され、弁座に対する弁体の開動に伴って上流からの流体をピストン本体の中空部に通じる連通部とを備えており、ピストンバルブ内に、導入口部から噴射口に連通する筒状流路が形成されている請求項１〜５のいずれかに記載のデスケーリングノズル。
【請求項７】
先端部に噴射口を有するノズルチップを装着するための第１のセグメントと、この第１のセグメントに対して接続可能であり、かつ前記テーパ状流路に連なる径大な流路を形成し、整流部材が装着可能な第２のセグメントと、この第２のセグメントに対して接続可能であり、かつピストンバルブが装着可能な第３のセグメントと、この第３のセグメントに対して接続可能であり、かつ流体導入口を備えた第４のセグメントとを備えている請求項１〜６のいずれかに記載のデスケーリングノズル。
【請求項８】
請求項１〜７のいずれかに記載のデスケーリングノズルが、流体導入口からノズルの流路内に流体が流入可能な形態で、流体を供給するヘッダに装着されているノズル装置。
【発明の詳細な説明】
【技術分野】
【０００１】
本発明は、熱間圧延鋼板上のスケール除去に有用なデスケーリングノズル、特に開閉ピストンバルブを内蔵したデスケーリングノズルに関する。
【背景技術】
【０００２】
デスケーリングノズルとして、噴射停止時にノズル先端からの液漏れを防止するため、開閉バルブを内部に装着したデスケーリングノズルが利用されている。このノズルは、ノズル本体内に形成された弁座と、この弁座の下流側に配設され、かつ弁座に対して着座可能な開閉バルブと、この開閉バルブを弁座に対して付勢するためのスプリングとを備えており、ノズルの上流端部には水流が流入可能な導入口が形成されている。
【０００３】
特開平６−７９３３９号公報（特許文献１）には、ノズル後端部の水液導入口部と、この導入口部下流に内装された開閉ピストンバルブと、このピストンバルブをノズル軸線上において動作可能に支持する支持胴体と、この支持胴体の上流側を動作可能に支持するガイドスリーブと、開閉ピストンバルブとガイドスリーブとの間に配設された圧縮状態のスプリングと、支持胴体とノズル本体の内周壁面との間に形成された断面円環状の流路と、支持胴体とノズル本体の内周壁面との間に配設された整流部材とを備えたデスケーリングノズルが開示されている。また、この文献には円周方向に等間隔に放射状に延びる６つの羽根を備えた整流部材が図示されている。
【０００４】
しかし、このノズルは、支持胴体とノズル本体の内周壁面との間に形成された断面円環状の流路に整流部材が配設されているため、流路断面積が小さく、圧力損失（圧力低下）が生じる。
【０００５】
特開２００３−１５９５４９号公報（特許文献２）には、ノズルチップの流路に喉部を設け、ノズルチップの流入口から喉部までの流路断面形状を断面積が漸次縮小する円形又は楕円形状とし、上記喉部からノズルチップの噴口までは流路断面形状を断面積が同一又は漸次縮小する円又は楕円乃至長円又は楕円に滑らかに連続させると共に、上記喉部では流路直径（ｄ）に対する喉部の曲率（Ｒ）を、Ｒ／ｄ＝０．２〜５の範囲で滑らかに連続させたスプレーノズルが開示されている。この文献には、流体供給管より流体が供給されるストレーナー、ピストンバルブを備え、流体圧に応じて流路を開閉するチェックバルブ、整流器を組み込んだアダプター、上記ノズルチップを順次連設することも記載されている。さらに、チェックバルブ内の流路直径（ｄ２）とアダプター内の流路直径（ｄ１）を１≦（ｄ２２／ｄ１２）≦１．４の関係に設定し、直径（ｄ１）の流路と直径（ｄ２）の流路との間に整流部材を配置することも記載されている。
【０００６】
このノズルでは、ピストンバルブの下流側に整流部材を配置しているものの、バルブ内の流路直径（ｄ２）とアダプター内の流路直径（ｄ１）を特定の関係に設定し、かつ直径（ｄ２）と直径（ｄ１）との流路間に整流部材を配設しているため、圧力損失が大きくなり、デスケーリング性能を高めるのが困難である。このようなピストンバルブ内蔵型デスケーリングノズルでは、ノズル内部での流体の圧力低下の抑制と整流化の双方の機能を併せもつ内部構造を形成することが困難である。
【０００７】
特開２００４−２１６４５４号公報（特許文献３）には、先端部の凹面又は凹部で開口した吐出孔と、この吐出孔からテーパ角θ３０〜８０°で延びるテーパ部と、このテーパ部に連なる径大部とで構成されたノズル孔を備えており、前記吐出孔の短径Ｄ2に対する径大部の内径Ｄ1の割合（Ｄ1／Ｄ2）が３以上であるデスケーリングノズルが開示されている。特開２００９−１０１４１１号公報（特許文献４）には、先端部の凹面又は凹部で開口した楕円形状の吐出孔と、この吐出孔からテーパ角θ３０〜８０°で延びるテーパ部と、このテーパ部に連なる径大部とで構成されたノズル孔を備えており、径大部の長さＬと径大部の内径Ｄｃとの割合（Ｌ／Ｄｃ）が４．２以上であるデスケーリングノズルが開示されている。これらの文献には、上流端部に形成されたフィルタ部と、このフィルタ部の下流部に配設された整流ユニットを備えていることも記載されている。
【０００８】
このようなノズルでは、整流部材の流路径を大きくし、高い衝撃力でデスケーリング性能を向上できる。しかし、特許文献１及び２などに記載のピストンバルブ内蔵のフィルターを、特許文献３及び４のノズルに装着すると、圧力損失が大きくなり、高い衝撃力を実現できなくなる。
【先行技術文献】
【特許文献】
【０００９】
【特許文献１】特開平６−７９３３９号公報（特許請求の範囲）
【特許文献２】特開２００３−１５９５４９号公報（特許請求の範囲）
【特許文献３】特開２００４−２１６４５４号公報（特許請求の範囲）
【特許文献４】特開２００９−１０１４１１号公報（特許請求の範囲、段落［００２８］）
【発明の概要】
【発明が解決しようとする課題】
【００１０】
従って、本発明の目的は、噴射停止時の液漏れを防止し、かつ壊食性能及び衝突力が大幅に向上したデスケーリングノズルを提供することにある。
【００１１】
本発明の他の目的は、ノズル内での流体の圧力損失を低減できるデスケーリングノズルを提供することにある。
【００１２】
本発明のさらに他の目的は、ノズル内部の構造を複雑化させることなく、高い壊食性能及び衝突力を有するデスケーリングノズルを提供することにある。
【課題を解決するための手段】
【００１３】
本発明者は、前記課題を達成するため鋭意検討した結果、圧力損失が大きく、壊食性能が低下するピストンバルブを備えたデスケーリングノズルであっても、前記ピストンバルブよりも下流側に整流部材を配設し、この整流部材の配設部位の流路断面積を拡大すると、壊食性能及び衝突力を大幅に向上できること、さらに整流部材の構造（羽根の厚み、枚数、長さ）を最適化すると、さらに壊食性能（デスケーリング能）が向上することを見いだし、本発明を完成した。
【００１４】
すなわち、本発明のデスケーリングノズルは、ノズル本体の上流端部域に形成された流体導入口と、この流体導入口からノズル先端の噴射口に至る流路と、前記流体導入口の下流側の流路内に装着され、前記流体導入口を開閉するためのピストンバルブと、このピストンバルブの下流域に配設された整流部材（整流ユニット）とを備えたデスケーリングノズルであって、前記整流部材（整流ユニット）が配置された流路の断面（断面積）が、前記ピストンバルブ内の流路の断面（断面積）よりも大きく形成されている。この構造では、ピストンバルブの下流域に整流部材が配設され、整流部材の配設部位の流路断面（断面積）がピストンバルブ内の流路断面（断面積）よりも大きく形成されているため、整流部材による整流作用を高めることができ、圧力損失を大きく低減できる。
【００１５】
なお、整流部材（整流ユニット）が装着された流路（整流部材を装着した後の流路）の断面積（Ａ２）と、ピストンバルブ内の流路の断面積（Ａ１）との比（Ａ２／Ａ１）は１を超え、かつ１．７以下程度であってもよい。また、整流部材の構造は特に制限されず、羽根の枚数は、例えば、１０〜１６枚程度であってもよく、羽根の厚みは、例えば、０．３〜０．７ｍｍ程度であってもよい。さらに、デスケーリングノズルは、ノズル先端部の凹面又は凹部で開口した吐出口と、この吐出口からテーパ角３０〜８０°で延びるテーパ部と、このテーパ部に連なる径大流路とで構成されたノズル孔を備えていてもよく、前記吐出口の短径Ｄ２に対する径大流路の内径Ｄ１の割合（Ｄ１／Ｄ２）は３以上であってもよい。また、前記径大部から上流方向に延びる流路内に配設された整流部材と、この整流部材から離れた上流部に配設されたピストンバルブとを備えていてもよい。さらに、ノズル本体の流路は、上流方向に向かって流路幅が漸増する傾斜流路部と、この傾斜流路部から上流方向に延び、かつ断面積が大きな拡大した中空筒状流路部と、この中空筒状流路部の上流方向に向かって流路幅が漸減する傾斜流路部とを備えていてもよく、前記中空筒状流路部内に整流部材が配設されていてもよい。整流部材は、芯体から放射状に延びる複数の羽根と、芯体の上流側及び下流側に同軸に形成され、かつそれぞれ上流方向及び下流方向に延出する整流案内部とを備えていてもよい。ピストンバルブは、ノズル本体の流路内に形成された弁座と、中空筒状のピストン本体と、このピストン本体の上流部に形成され、前記弁座に着座可能な弁体と、この弁体を弁座に対して上流方向に付勢するコイル状スプリングと、前記弁体の下流部に形成され、弁座に対する弁体の開動に伴って上流からの流体をピストン本体の中空部に通じる連通部とを備えていてもよく、このような形態で、ピストンバルブ内には、導入口から噴射口に連通する筒状流路が形成されていてもよい。さらには、先端部に噴射口を有するノズルチップを装着するための第１のセグメントと、この第１のセグメントに対して接続可能であり、かつ前記円錐状流路に連なる径大な流路を形成し、整流部材が装着可能な第２のセグメントと、この第２のセグメントに対して接続可能であり、かつピストンバルブが装着可能な第３のセグメントと、この第３のセグメントに対して接続可能であり、かつ流体導入口を備えた第４のセグメントとを備えていてもよい。このノズルチップは、先端部に形成された凹面又は凹部で開口した吐出口と、この吐出口から上流方向に向かって所定のテーパ角θで延びる円錐状テーパー部（円錐状流路）とを備えていてもよい。
【００１６】
本発明は、前記デスケーリングノズルが、流体導入口からノズルの流路内に流体が流入可能な形態で、流体を供給するヘッダに装着されているノズル装置も包含する。
【発明の効果】
【００１７】
本発明では、ピストンバルブの下流域に整流部材を配設し、前記整流部材が配置された流路断面（断面積）を、前記ピストンバルブ内の流路断面（断面積）よりも大きく形成されているため、整流作用を高め、ノズル内での流体の圧力損失を低減でき、壊食性能及び衝撃力（打力）を大幅に向上できる。また、ピストンバルブにより、噴射停止時にノズル先端から流体（水）が漏れるのを防止できる。さらに、ノズル内部の構造を複雑化させることなく、壊食性能及び衝突力を高めることができる。
【図面の簡単な説明】
【００１８】
【図１】図１は本発明に係るデスケーリングノズルの一例を示す概略分解斜視図である。
【図２】図２は図１のノズルチップを備えたアダプター（ノズルケース）を示す概略断面図である。
【図３】図３は図１のピストンバルブ内蔵フィルターを示す部分概略断面図であり、図３（Ａ）はピストンバルブが閉じ状態の部分概略断面図であり、図３（Ｂ）はピストンバルブが開状態の部分概略断面図である。
【図４】図４は図３（Ａ）のIV-IV線概略断面図である。
【図５】図５は図１のピストンバルブを示す部分概略斜視図である。
【図６】図６は比較例で用いたピストンバルブ内蔵フィルターを示す概略斜視図である。
【図７】図７は図６のVII-VII線概略断面図である。
【発明を実施するための形態】
【００１９】
以下に、添付図面に基づいて本発明を詳細に説明する。図１は本発明に係るデスケーリングノズルの一例を示す概略分解斜視図、図２は図１のノズルチップを備えたアダプター（ノズルケース）を示す概略断面図、図３は図１のピストンバルブ内蔵フィルターを示す部分概略断面図であり、図３（Ａ）はピストンバルブが閉じ状態の部分概略断面図であり、図３（Ｂ）はピストンバルブが開状態の部分概略断面図である。図４は図１のIV-IV線概略断面図（整流部材の配設部位の断面図）であり、図５は図１のピストンバルブを示す部分概略斜視図である。
【００２０】
図１に示すデスケーリングノズルは、先端部に噴射口（吐出口）５を有するノズルチップ３を装着するための中空筒状の第１のアダプター（ノズルケース又はセグメント）１と、整流部材２５が装着可能な中空筒状の第２のアダプター（又はセグメント）２１と、ピストンバルブ３４が装着可能な中空筒状の第３のアダプター（又はセグメント）３１と、流体導入口５５を備えた中空筒状の第４のアダプター（又はセグメント）５１とを備えている。これらのアダプター（セグメント又はケーシング）１，２１，３１，５１はノズル本体を形成し、互いに隣接するこれらのアダプターは、それぞれ上流端部及び下流端部の螺合部１ａ，２１ａ，３１ａでの螺合により緊密に接続又は連結可能であり、下流から上流方向に向かって、同一軸線上に沿って延びる流路（流体導入口からノズル先端の噴射口５に至る流路）を形成している。なお、第１のアダプター１はノズルケースを形成し、整流部材２５、ピストンバルブ３４、流体導入口５５を備えた第２乃至第４のアダプター（又はセグメント）２１，３１，５１は、ピストンバルブ内蔵フィルターを形成する。
【００２１】
第１のアダプター（ノズルケース）１の下流端では長方形状の開口部２が開口しており、第１のアダプター１の先端部に装着されたノズルチップ３は、先端面の半径方向に横断して形成された断面Ｕ字状の凹溝４と、この凹溝４の断面Ｕ字状の凹面（この凹面の中心部）で開口し、かつ長径／短径比が１．２〜１．８程度の楕円形状の噴射口（吐出口）５と、この噴射口から上流方向に向かって所定のテーパ角で直線的に拡がる円錐状流路６とを備えており、円錐状流路６はノズルチップ３のテーパ部（又は円錐状傾斜壁）７により形成され、前記凹溝４の両側壁８は下流（先端部）方向にいくにつれて外方向に拡がる（又は傾倒する）傾斜側壁を形成している。特に、低圧及び／又は低流量並びにスプレー距離が遠くても衝突力を高めるため、前記円錐状流路６を形成するテーパ部７の角度（テーパ角）θは、４５〜５５°程度に設定されている。なお、第１のアダプター１の下流端の長方形状の開口部２からは、長軸を合わせて、前記ノズルチップ３の楕円形状の噴射口５が、前方方向に臨んでいる。前記ノズルチップ３の外周面には第１のアダプター１の内壁と係合可能な係合段部９が形成され、先端部方向へのノズルチップ３の抜けを規制している。
【００２２】
第１のアダプター１内には、ノズルチップ３の円錐状流路６の上流端と実質的に同じ内径の流路を有する中空円筒状のブシュ１０が装着され、このブシュ１０は、第１のアダプター１の上流端部への螺合に伴って前進動する第２のアダプター２１の下流端面により下流方向に押圧され、ノズルチップ３を前記係合段部９で係合させ、ノズルチップ３を第１のアダプター１に緊密に装着している。
【００２３】
さらに、前記ブシュ１０の円筒状内壁はノズルチップ３の円錐状流路６の上流端から上流方向に延びる径大流路１１を形成しており、楕円形状の吐出口５の短径Ｄ２に対する径大流路１１の内径Ｄ１の割合（Ｄ１／Ｄ２）は、３〜４程度に設定されている。
【００２４】
なお、第１のアダプター１の所定の外周部（この例では、第１のアダプター又はノズルケースの端部）には、導管又は流体供給管（又はヘッダ，図示せず）にノズルを取り付けるための鍔部（又はフランジ）などの取付部又は位置決め部１２が形成されている。
【００２５】
第２のアダプター２１は、前記ブシュ１０の径大流路（円筒状流路）１１と実質的に同じ内径の円筒状流路２２と、この流路から上流方向に向かって内径が緩やかに大きくなる傾斜流路２３と、この傾斜流路２３の上流端からと実質的に同じ内径の径大な円筒状装着流路２４とを備えており、この装着流路２４には整流ユニット（整流部材）２５が配設又は装着されている。この整流ユニット（整流部材）２５は、芯体２６から放射方向に延び、先端部が第２のアダプター２１の内壁に当接してもよい複数の整流板（整流羽根）２７と、芯体の上流側及び下流側に同軸に形成され、かつそれぞれ先端部を上下流方向に向けて形成された鋭角な円錐部（上流側又は下流側が先細状の円錐部）２８ａ，２８ｂとを備えている。この例では、径大流路１１の内径Ｄ１に対する径大な円筒状装着流路２４の内径Ｄ３（又は整流ユニット２５の羽根２７先端の仮想円の外径）の割合（Ｄ３／Ｄ１）は、１．３〜１．５程度に形成されている。すなわち、圧力損失を低減し、かつ整流ユニット２５による整流作用を高めるため、径大流路１１よりも流路径の大きな円筒状流路２４の部位に整流ユニット２５が装着されている。また、芯体２６からは周方向に等間隔に１２枚の整流板（整流羽根）２７が放射状に延びており、整流板（整流羽根）２７の厚みは０．５〜０．７ｍｍ程度に形成されている。なお、整流ユニット２５は、傾斜流路２３の傾斜内壁により下流方向への移動が規制される。
【００２６】
第３のアダプター３１の円筒状流路３２内には、ピストンバルブ３４がスライド可能に配設され、ピストンバルブ３４を装着した状態では、前記径大な円筒状装着流路２４と実質的に同じ内径の下流端から上流方向に向かって流路径が漸減する傾斜流路３３と、この傾斜流路の上流端から上流方向に向かって実質的に同じ流路径で延び、かつピストンバルブ３４内の円筒状流路３６とを備えている。すなわち、ピストンバルブ３４は、外周部に螺旋状のスプリング３７が装着可能な中空円筒状のピストン本体３５と、このピストン本体３５の上流側の外周面に形成され、第３のアダプター３１の円筒状流路３２の内壁と摺接し、前記スプリング３７の上流端部を止定するための規制するリング状規制壁３８と、この規制壁３８から上流方向に延びるリング部３９と、このリング部の上流端から円錐状に突出する円錐状弁体４０と、前記リング部３９の周方向に間隔をおいて凹状に形成され、リング状規制壁３８との隣接部位でピストン本体３５の中空部（円筒状流路）３３に通じる複数の連通部４１とを備えており、ピストン本体３５の下流側の外周面には、ピストン本体３５が下流方向へ移動するのを規制するための環状ストッパ４２が装着されている。第４のアダプター（フィルター）５１の下流側の開口端には、円錐状弁体が着座可能なリング状傾斜面（弁座）５４が形成されている。そのため、常態では、スプリング３７の付勢力により弁体４０は弁座に対して押圧され、「閉」状態が維持されている。また、ピストン本体３５の周壁には、空気抜き孔４３が形成されている。
【００２７】
なお、前記整流ユニットの配設部位の流路断面積を大きくするため、前記整流ユニットが装着された流路の断面積Ａ２と、ピストンバルブ内の流路の断面積Ａ１との面積比（Ａ２／Ａ１）＝１．２〜１．５程度に形成されている。
【００２８】
第４のアダプター５１の流路は、第３のアダプター３１の円筒状流路３３と実質的に同じ径（又は若干大きい又は小さい径）で上流方向に延びる円筒状流路５２と、この円筒状流路から傾斜部を経て内径が大きく、第４のアダプター５１の上流端部壁に至る円筒状流路５３とを備えている。第４のアダプター５１の下流端面には、前記ピストンバルブの弁体が緊密に接触可能なリング状傾斜面（弁座）５４が形成され、第４のアダプター５１の上流端部の端部壁及び周面には、流体導入口として、周方向に所定間隔をおいて軸方向に延びる複数のスリット（又は流入口）５５が形成されており、導管又は流体供給管（図示せず）からの夾雑物の流入を規制しつつ、流体導入口（スリット）５５からノズル本体内に水を流入させている。そのため、第４のアダプター５１はフィルタ又はストレーナとして機能させることができる。
【００２９】
このようなデスケーリングノズルでは、大きな圧力損失をもたらしやすいピストンバルブ３４を内蔵しているにも拘わらず、整流効果を高めて圧力損失を著しく低減でき、壊食性能を大きく向上できる。より詳細には、第４のアダプター５１の流体導入口（スリット）５５から水が流入し、水圧が大きくなり所定の基準値を越えると、ピストンバルブ３４のスプリング３７の付勢力に抗して弁座５４から弁体４０が離れてバルブが「開」となり、ノズル本体内に流入した水は、第３のアダプター３１の円筒状流路（ピストンバルブ内に形成された流路）及び下流方向に向かって拡がった傾斜流路３３を経て第２のアダプター２１の整流ユニット２５で整流される。また、整流ユニット２５により整流された水流は、下流方向に向かって狭まった傾斜流路２３を経て円筒状流路２２及び第１のアダプター１の径大流路１１に至り、円錐状流路６を経て吐出口５から噴射される。このような構造では、ピストンバルブ３４から離れた下流域であって流路断面積の大きな流路２４に整流ユニット２５が配設され、かつ整流ユニット２５の羽根２６が薄く、しかも羽根数が多いため、高い整流効果を実現でき、圧力損失を大きく低減できる。しかも、整流ユニット２５の上流側及び下流側に先細状の円錐部２８ａ，２８ｂが形成されているため、傾斜流路３３，２３で流路断面積が変化しても、急激な断面積の変化及び乱流化を抑制できる。そのため、整流された水流は、所定のテーパ角の円錐状流路６で絞りつつ、径大流路１１の内径Ｄ１に対して短径Ｄ２が小さな楕円形状の吐出口５から水流を噴射するため、低圧及び／又は低流量並びにスプレー距離が遠くてもスケールを効率よく除去でき、鋼板の冷却を抑制しつつデスケーリング性能を向上できる。
【００３０】
なお、本発明において、ノズルチップの構造は特に制限されず、先端部の噴射口（吐出口）と、この噴射口（吐出口）から上流方向に拡がって延びる流路とを有していればよい。好ましいノズルチップの構造及び噴射口（吐出口）と径大流路との関係については、特開２００４−２１６４５４号公報及び特開２００９−１０１４１１号公報を参照できる。ノズルチップは、通常、先端部に形成された凹面又は凹部で開口した噴射口（吐出口）と、ノズルチップのテーパ部（円錐状傾斜壁など）により形成され、前記噴射口から上流方向に向かって所定のテーパ角θで延びる流路（円錐状流路など）とを備えている。吐出口は、扁平状、四角形状などであってもよいが、通常、楕円形状である。例えば、楕円形状の吐出口の長径／短径比は、１．１〜３．０（例えば、１．２〜３）、好ましくは１．１５〜２．８（例えば、１．２〜２．５）、さらに好ましくは１．２〜２．５（例えば、１．４〜２）程度である。また、楕円形状の吐出口の長径／短径比は、比較的小さい範囲、例えば、１．１〜２（例えば、１．１２〜１．７）、好ましくは１．１５〜１．５（例えば、１．１５〜１．４５）、特に１．２〜１．４５程度であってもよい。
【００３１】
ノズルチップのテーパ部は、直線的に、又は異なる複数の傾斜角で、若しくは湾曲して傾斜していてもよい。前記テーパ部の角度（テーパ角）θは、２０〜８０°程度の範囲から選択してもよく、通常、例えば、３０〜８０°、好ましくは３５〜７５°、さらに好ましくは４０〜７０°、特に４０〜６０°程度の範囲から選択できる。なお、テーパ部が複数のテーパ部や湾曲部で構成されている場合、前記テーパ角θは、吐出口と、上流側に位置する径大流路の始端部とを結ぶ線で形成される角度を意味する。
【００３２】
ノズルの流路（ノズル孔）は、吐出口と、テーパ側壁により所定のテーパ角θで上流方向に拡がって延びるテーパ状流路（又は円錐状流路）と、このテーパ状流路の上流端とほぼ同じ内径で延びる円筒状径大流路とで構成してもよい。径大流路は、通常、実質的に同じ内径に形成する場合が多いものの、整流部材が装着される流路部位を除き、全体として、角度０〜５°（例えば、０〜３°）で上流方向に向かって内径が若干拡大して傾斜していてもよい。前記吐出口の短径Ｄ２に対する径大流路の内径Ｄ１の割合（Ｄ１／Ｄ２）は、３以上（例えば、３〜７）、好ましくは３．５〜６．５、さらに好ましくは４〜６（例えば、４．５〜５．５）程度であってもよい。なお、径大流路の内径Ｄ1は、８〜２０ｍｍ（例えば、８〜１５ｍｍ、好ましくは９〜１５ｍｍ）程度であってもよい。径大流路の全長は、例えば、３０〜３００ｍｍ（例えば、５０〜２００ｍｍ）、好ましくは５０〜１５０ｍｍ（例えば、７５〜１５０ｍｍ）程度である。さらに、径大流路の長さＬと径大流路の内径Ｄ１との割合（Ｌ／Ｄ１）は、４．２以上、例えば、４．２〜１２（例えば、４．２〜８）、好ましくは４．３〜１０（例えば、４．３〜７．５）、さらに好ましくは４．４〜８（例えば、４．４〜７）、特に４．５〜７．５（例えば、４．５〜６．５）程度であってもよい。さらに、吐出孔の長径Ｄａに対する径大流路の内径Ｄ１の割合（Ｄ１／Ｄａ）が３．６〜１０、３．６５〜９．５、好ましくは３．７〜９、さらに好ましくは３．７５〜８．５、特に３．８〜８（例えば、３．８〜７．５）程度であってもよい。
【００３３】
前記径大流路はブシュで形成する必要はなく、種々の流路形成部材（スリーブなど）で形成してもよく、第１のアダプター及び／又は第２のアダプターの内壁で形成してもよい。
【００３４】
なお、前記凹面又は凹部（断面Ｕ字状の湾曲溝などの溝など）の両側壁は、上流方向から先端部方向にいくにつれて外方向に傾斜していてもよく、凹面又は凹部の底面は、吐出口を最下部として溝の延出方向（又は半径方向）にいくにつれて両端部が隆起（前方方向に隆起）した湾曲状底面であってもよい。
【００３５】
ノズルチップが装着可能な第１のアダプター（ノズルケース又は第１のケーシング）の形態は、先端部が開口し、後端部に第２のアダプターとの連結部（螺合部など）を備えていればよい。
【００３６】
整流部材（整流ユニット）は、整流効果を高めるため、ノズルチップから上流方向に延びる流路（例えば、前記径大流路から上流方向に延びる流路）内であって、ピストンバルブの下流域に配設される。整流部材が配設される流路部（中空筒状流路部又は装着流路）は、前記径大流路と実質的に同じ流路径を有していてもよく、径大流路よりも大きな流路径を有していてもよい。特に、流路断面積を大きくして高い整流作用により壊食性能を向上させるため、整流部材（整流ユニット）は、径大流路よりも流路径の大きな円筒状流路（装着流路）の部位に装着するのが好ましい。径大流路の内径Ｄ１に対する径大な円筒状装着流路（整流部材が装着される流路）の内径Ｄ３の割合（Ｄ３／Ｄ１）は、１．１〜２、好ましくは１．２〜１．８、さらに好ましくは１．３〜１．７（例えば、１．４〜１．６）程度であってもよい。また、前記整流部材が配置された流路断面は、前記ピストンバルブ内の流路断面よりも大きく形成するのが好ましい。整流ユニットが装着された流路（装着後の流路）の断面積（Ａ２）と、ピストンバルブ内の流路の断面積（Ａ１）との比（Ａ２／Ａ１）は、例えば、１を越え、１．７以下（例えば、１．０５〜１．７）、好ましくは１．１〜１．６（例えば、１．１５〜１．５５）、さらに好ましくは１．２〜１．５（例えば、１．２５〜１．４８）程度である。
【００３７】
径大流路よりも大きな流路径を有し、かつ整流部材が配設される流路部（中空筒状流路部）の両側の流路径は、乱流の生成を抑制するため、通常、上流方向及び下流方向にいくにつれて、整流部材の配設部位（装着流路）の流路径よりも連続的に（直線的に又は湾曲して）小さく形成されている。例えば、整流部材とその周辺の流路は、上流方向に向かって流路幅が直線的又は湾曲して漸増して径大流路に至る傾斜流路部（円錐状流路部など）と、この傾斜流路部から上流方向に延び、かつ断面積が大きな拡大した中空筒状流路部（整流部材が配設される流路）と、この中空筒状流路部の上流方向に向かって流路幅が直線的又は湾曲して漸減して径大流路に至る傾斜流路部（円錐状流路部など）とを備えている。さらに、整流部材の両端部に形成した突起部により、整流部材の上流域及び下流域での急激な断面積の変化や流れの変化を抑制できる。
【００３８】
整流部材は、通常、芯体から周方向に間隔をおいて放射状に延びる複数の羽根と、芯体の上流側及び下流側に同軸に形成され、かつそれぞれ上流方向及び下流方向に延出する整流案内部とを備えている。整流部材の構造（羽根の枚数、厚み、長さ）を最適化することにより、壊食性能を向上できる。特に、羽根の枚数及び厚みの効果は顕著であり、羽根の枚数が多いほど、また羽根の厚みが小さいほど、壊食性能が向上する。羽根の枚数は、ノズルのサイズなどに応じて、例えば、１０〜２０枚（例えば、１０〜１８枚）程度の範囲から選択でき、通常、１０〜１６枚、好ましくは１０〜１４枚（例えば、１２〜１４枚）程度である。羽根は、通常、芯体の周方向に等間隔毎に形成される。
【００３９】
羽根の厚みを薄くするにつれて、羽根の端面での流れの乱れを軽減できるため、整流作用を高め、衝突力（壊食性能）を向上できる。一方、羽根の厚みが薄すぎると、強度が低下して羽根が変形又は破損するおそれがある。そのため、羽根の厚みは、ノズルのサイズや用途などに応じて、０．１〜１ｍｍ（例えば、０．２〜０．９ｍｍ）程度の範囲から選択でき、通常、０．３〜０．８ｍｍ（例えば、０．５〜０．８ｍｍ）、好ましくは０．３〜０．７ｍｍ（例えば、０．４〜０．６ｍｍ）程度であってもよく、０．４〜０．７ｍｍ程度であってもよい。
【００４０】
羽根の長さは、ノズルのサイズなどに応じて、１０〜５０ｍｍ（例えば、１２〜４５ｍｍ）程度の範囲から選択でき、例えば、１５〜４５ｍｍ（例えば、１７〜４０ｍｍ）、好ましくは２０〜４３ｍｍ（例えば、２３〜４０ｍｍ）、さらに好ましくは２５〜４０（例えば、２５〜３８ｍｍ）程度であり、１６〜３５ｍｍ（例えば、２５〜３５ｍｍ）程度であってもよい。羽根の長さを１５〜４０ｍｍ（例えば、２５〜４０ｍｍ、好ましくは２８〜３８ｍｍ）程度にすると、性能が大幅に向上する。
【００４１】
また、整流部材が装着される流路（円筒状流路）の内径（Ｄ）に対する羽根の長さ（Ｌ）の比（Ｌ／Ｄ）が大きいほど整流効果が高く、壊食性能が向上する傾向を示し、前記比（Ｌ／Ｄ）が大きすぎると、噴射パターンに曲がりが発生するなど噴霧が不安定になりやすくなる。前記比（Ｌ／Ｄ）は、ノズルのサイズや用途などに応じて、０．７〜３程度の範囲から選択してもよく、通常、１〜３（例えば、１〜２．３）、好ましくは１．３〜２．５（例えば、１．５〜２．３）、さらに好ましくは０．６〜２．２（例えば１．８〜２．１）程度であってもよい。なお、本発明では、前記比（Ｌ／Ｄ）が「１」であっても高い壊食性能を示す。
【００４２】
前記整流部材の上流部及び下流部には、流体をより整流化するため、整流羽根よりも上流方向及び下流方向に延出する整流案内部を備えていてもよい。この整流案内部は、下流方向又は上流方向にいくにつれて先細りとなる形態を有していればよく、整流案内部材の頂部は、流体の乱流化を抑制できる限り、弾頭状、ノーズ状などの形態で湾曲していてもよく、円錐台状であってもよく、先端が鋭角に尖った円錐状であってもよい。
【００４３】
整流案内部（先細状の円錐状の突起など）は、少なくとも整流部材の下流側に形成するのが好ましい。整流部材の下流側及び上流側にそれぞれ先細状の円錐状の突起（円錐部）を形成すると、整流効果が高めるのに有利である。特に、整流部材が配設される流路（装着流路）の上流部及び下流部にそれぞれ前記傾斜流路部（円錐状流路部など）が形成されている場合、整流案内部（先細状の円錐状の突起（円錐部）など）を形成すると、整流部材の上流域及び下流域での流路断面積の変化及び流体の乱流化を抑制できる。整流効果を高めるため、整流案内部（先細状の円錐状の突起など）は、整流部材の装着流路に隣接する上流域及び下流域の傾斜壁に対応した角度で整流部材から先細状に延出していてもよい。
【００４４】
また、整流羽根は芯体から放射状に延出している必要はなく、軸芯から放射状に延出していればよく、例えば、互いに装着可能な切り込み部を有する複数の板部材を組み合わせることにより形成してもよい。
【００４５】
整流部材（整流ユニット）は、第２のアダプター内において、係止、嵌合、溶着、固着などの位置決め又は固定手段により下流側への移動を規制できる。なお、整流部材の羽根は第２のアダプターの装着流路の内壁に固定されていてもよい。
【００４６】
ピストンバルブは、前記流体導入口の下流側であって整流部材の上流側の流路内に装着され、流体圧に応じて前記流体導入口を開閉可能であればよい。ピストンバルブは、整流部材に隣接して配設してもよいが、整流部材から離れた上流部に配設してもよい。ピストンバルブ内には、圧力損失を低減するため、導入口から噴射口に連通する筒状流路（円筒状流路など）が形成されている。すなわち、ピストンバルブは、ノズル本体の流路内に形成された弁座と、中空筒状のピストン本体と、このピストン本体の上流部に形成され、前記弁座に着座可能な弁体と、この弁体を弁座に対して上流方向に付勢するコイル状スプリングと、前記弁体の下流部に形成され、弁座に対する弁体の開動に伴って上流からの流体をピストン本体の中空部（筒状流路）に通じる連通部とを備えている。なお、ピストンバルブの形態は特に制限されず、弁座は、アダプターの開口端面に限らず、ノズル本体の流路内であれば適所に形成できる。また、連通部から流体をピストン本体内の中空部に効率よく流入させるため、通常、弁体とピストン本体との間には流体が下流方向に漏洩するのを規制するための規制壁（例えば、前記リング状規制壁）又はシール壁を形成してもよく、連通部は、弁体の下流側の周壁部（前記リング部など）の周方向及び／又は軸方向の適所に形成される。ピストン本体の中空部（流路）に連通する連通部は、通常、弁体と規制壁（例えば、前記リング状規制壁）又はシール壁との間の領域に周方向に間隔をおいて形成する場合が多い。このような構造のピストンバルブでは、上流方向からピストン本体の中空部（流路）内に流体（水）が流入するため、通常、圧力損失が大きくなる。本発明では、前記のように、このようなピルトンバルブを内蔵していても、圧力損失を大きく低減して壊食性能を向上できる。
【００４７】
第３のアダプターはピストンバルブが装着可能であればよく、第２のアダプターに対して第３のアダプターを相対的に螺合することにより、整流部材を緊密に装着できる。
【００４８】
流体導入口（水流入口）はノズル本体の上流端部域に形成すればよく、この流体導入口は、ノズル本体の上流端部の周壁に軸方向又は周方向に延びるスリット状流入口で形成してもよく、ノズル本体の上流端面を開口し、この開口部をフィルタ又はストレーナーでカバーして装着してもよい。第４のアダプターの下流側の開口端に弁座を形成すると、スプリングの付勢力に抗して第３のアダプターに対して相対的に第４のアダプターを螺合するだけで、弁座に弁体を密接に着座させて、ピストンバルブを装着できる。
【００４９】
なお、ノズル本体は、前記第１乃至第４のアダプター（セグメント、ケーシング）で構成する必要はなく、流体導入口からノズル先端の噴射口に至る流路を備え、この流路内にノズルチップ、整流部材、ピストンバルブが配設可能であり、ノズル本体の上流端部域に流体導入口が形成されていればよい。また、ノズルの流路として代表的な円筒状流路に基づいて説明したが、円筒状流路に代えて断面楕円形状の流路であってもよい。
【００５０】
本発明では、デスケーリングノズルの流路内でピストンバルブの下流側に整流部材を装着し、しかも整流部材の装着部位の流路断面積を大きくするため、圧力損失を低減でき、高い整流作用を利用して、壊食性能、衝突力（打力）を大幅に向上できる。また、整流部材の構造（羽根の厚み、枚数、長さ）を最適化することにより、整流効果をさらに一層増大でき、さらに壊食性能、衝突力（打力）を向上でき、しかも均一な噴霧パターンを形成できる。さらには、所定の吐出口と径大流路とを有し、高い壊食性能及び衝突力（打力）を発揮するノズルチップ又はノズルと組み合わせることにより、壊食性能及び衝突力（打力）を顕著に向上できる。そのため、本発明のデスケーリングノズルは、流体導入口からノズルの流路内に流体が流入可能な形態で、デスケーリングノズルを、流体供給ヘッダに装着したノズル装置、特に、熱間圧延鋼板上のスケールを除去するためのノズル装置として有用である。
【００５１】
本発明のノズルは、低圧及び／又は低流量（低い水の流量）であってもデスケーリング効率を大きく改善できる。例えば、吐出圧又は噴出圧が、例えば、５〜３０ＭＰａ（好ましくは８〜２５ＭＰａ、さらに好ましくは１０〜２０ＭＰａ、特に１２〜１８ＭＰａ）程度、水の吐出流量又は噴出流量が、例えば、２０〜２００リットル／分（例えば、３０〜１８０リットル／分）、好ましくは４０〜１６０リットル／分、さらに好ましくは５０〜１４０リットル／分（例えば、６０〜１２０リットル／分）程度であっても、高いデスケーリング性を実現できる。
【００５２】
被処理基材（鋼板）に対して吐出距離（スプレー距離）が短くなると、通常、壊食性能は増大する傾向を示すが、本発明のデスケーリングノズルでは吐出距離が長くなっても高い壊食性能を示す。そのため、本発明の方法において、被処理基材（鋼板）に対する吐出距離（スプレー距離）は、広い範囲（例えば、６００ｍｍ以下（例えば、５０〜６００ｍｍ程度）の範囲）から適当に選択でき、１００〜５００ｍｍ程度であってもよい。
【００５３】
鋼板の種類は特に制限されず、Ｓｉ含有量の多い高Ｓｉ鋼板、Ｓｉ含有量の少ない低Ｓｉ鋼（例えば、Ｓｉ０．５重量％以下（０．２〜０．５重量％程度）の普通鋼など）であってもよい。
【実施例】
【００５４】
以下に、実施例に基づいて本発明をより詳細に説明するが、本発明はこれらの実施例によって限定されるものではない。
【００５５】
表１に示すように、羽根枚数、羽根厚み、羽根外径の異なる整流部材とピストンバルブとを装着したノズル３種類について、鉛壊食及び衝突力性能を調べた。
【００５６】
実施例１及び２
ピストンバルブの下流側に、羽根数１２枚、羽根厚み０．８ｍｍ（実施例２は０．５ｍｍ）、外径１６ｍｍの整流部材を装着し、図１及び図２に示すスプレーノズルを調製した。このノズルは、断面Ｕ字状溝の凹面で開口されたノズルチップの楕円形状吐出口（長径４．７ｍｍ、短径３．３ｍｍ）、吐出口からテーパ角５０°で上流方向に拡大した円錐状流路、ノズルケース及び第２のアダプターの途中部まで延びる円筒状流路（内径１１ｍｍφ及び長さ４７ｍｍ）、この円筒状流路の上流側に形成された傾斜流路、この傾斜流路の上流端から上流方向に形成された径大な円筒状流路（整流部材の装着流路）、第３のアダプターの下流端部に、前記径大な円筒状流路（整流部材の装着流路）の上流端から連なって形成された傾斜流路、この傾斜流路の上流端から上流方向に延びるピストン内流路（内径１１．５ｍｍ及び長さ４５ｍｍ）、第４のアダプターの上流側端部に周方向に等間隔離れて軸方向に形成された１２個の縦スリット（スリット長２０ｍｍ）を有している。整流部材は上流側及び下流側にそれぞれ先端部が上流側および下流側に向いた円錐状突起を備えている。
【００５７】
比較例１
図６及び図７に示すスプレーノズルを調製した。すなわち、整流部材を第２のアダプター６１の径大な円筒状流路部に装着することなく、第３のアダプター６２内に配設されたピストンバルブ６５のピストン本体６６の流路６７内に、８枚の羽根６４を備えた数整流部材（羽根厚み０．８ｍｍ、外径１１．５ｍｍ）６３を装着した点、第１のアダプター（ノズルケース）（図示せず）、第２のアダプター６１及び第３のアダプター６２の途中部まで円筒状流路（内径１１ｍｍ及び長さ１０６．５ｍｍ）が延びている点、ピストンバルブ６５内の流路６７の長さが短い点（内径１１．５ｍｍ長さ３４ｍｍ）、第４のケーシング６８の上流側端部に軸方向に等間隔離れて周方向に延びる１５個の横スリット（スリット長９．３ｍｍ）６９が形成されている点を除いて、実施例１と同様のスプレーノズルを調製した。
【００５８】
そして、壊食性能の試験では、スプレーの噴射圧（水圧）１５ＭＰａ、スプレー距離３００ｍｍおよび吐出流量１１６リットル／分に設定し、衝突力と壊食時間４５秒の条件での鉛壊食量を調べた。結果を表１に示す。なお、鉛壊食比及び衝突力比は、比較例１の鉛壊食量及び衝突力比をそれぞれ「１」とし、比較例１に対する比率で表している。
【００５９】
【表１】
0005721993.tif 000002
【００６０】
表１から明らかなように、比較例に比べ、実施例では高い壊食性能及び衝突力（打力）を示した。
【産業上の利用可能性】
【００６１】
本発明は種々の鋼板表面のデスケーリング（熱間圧延工程での鋼板表面のデスケーリング）に利用できる。
【符号の説明】
【００６２】
１…第１のアダプター
３…ノズルチップ
４…凹溝
５…噴射口
６…円錐状流路
７…テーパ部（円錐状傾斜壁）
１１…径大流路
２１…第２のアダプター
２５…整流ユニット（整流部材）
２６…芯体
２７…整流羽根
２８ａ，２８ｂ…円錐部
３１…第３のアダプター
３４…ピストンバルブ
３５…ピストン本体
３６…円筒状流路
３７…スプリング
３８…リング状規制壁
３９…リング部
４０…円錐状弁体
４１…連通部
４２…環状ストッパ
５１…第４のアダプター
５４…リング状傾斜面（弁座）
５５…スリット（流体導入口）
【図１】
0005721993.tif 000003
【図２】
0005721993.tif 000004
【図３】
0005721993.tif 000005
【図４】
0005721993.tif 000006
【図５】
0005721993.tif 000007
【図６】
0005721993.tif 000008
【図７】
0005721993.tif 000009